(57)【特許請求の範囲】
【請求項１】
少なくとも表地を有する前身頃と後身頃とを備えた身体の下半身を覆う衣類であって、
前記前身頃の略中央部に設けられた収納部
を備え、
前記収納部は、股間部分において隆起するように形成された前記表地と、前記収納部の前記表地を裏打ちする、前記表地の伸縮率よりも伸縮率の低い布地で構成された裏打ち部材と、裏地とを備え、前記裏打ち部材は、前記収納部の周縁に沿って前記表地に取り付けられており、
男性器の膨らみを形成する弾力性部材が、前記裏打ち部材と前記裏地との間に配置されている、衣類。
【請求項２】
前記裏打ち部材は不織布である、請求項１に記載の衣類。
【請求項３】
前記弾力性部材が、男性器の膨らみを形成するためのものである、請求項１〜請求項２のいずれか一項に記載の衣類。
【請求項４】
性同一性障害者（ＦＴＭ）用の衣類である、請求項１〜請求項３のいずれか一項に記載の衣類。
【請求項５】
前記収納部の表地は、その中央部分が隆起するように、中央部分の下端から隆起の頂点まで上方に向う縫製部分を備える、請求項１〜請求項４のいずれか一項に記載の衣類。
【請求項６】
前記裏打ち部材は、前記収納部の周縁に沿って前記表地に縫い付けられている、請求項１〜請求項５のいずれか一項に記載の衣類。
【発明の詳細な説明】
【技術分野】
【０００１】
本発明は、下半身用衣類に関し、特に、性同一性障害を持つ女性のための下半身用衣類に関するものである。
【背景技術】
【０００２】
従来から、女性が下半身に着用する下半身用衣類には一般にショーツ、ガードル、パンティーストキングなどがあるが、近年、男性の精神と女性の肉体を有する性同一性障害者（ＦＴＭ）が着用する下半身用衣類が開発されている。
【０００３】
例えば、特許文献１には、このような下半身用衣類として男性器の膨らみを形成するための弾力性部材（クッション）を収納可能な構造のボクサーパンツが開示されている。
【先行技術文献】
【特許文献】
【０００４】
【特許文献１】特開２０１５−７４８６８号公報
【発明の概要】
【発明が解決しようとする課題】
【０００５】
ところが、特許文献１に記載のように男性器の膨らみを形成する弾力性部材を収納した下半身用衣類は、着用したときに布地と身体との間でこの部材が押し潰されることで、男性の身体のラインが損なわれるという問題があった。
【０００６】
本発明は、下半身用衣類を着用した際に、男性器の膨らみを形成する弾力性部材が押し潰されるのを抑制し、これにより着用した際に男性の身体のラインを形成することができる下半身用衣類を提供することを目的とする。
【課題を解決するための手段】
【０００７】
本発明は、以下の項目を提供する。
【０００８】
（項目１）
少なくとも表地を有する前身頃と後身頃とを備えた身体の下半身を覆う衣類であって、
前記前身頃の略中央部に設けられた収納部
を備え、
前記収納部は、その中に弾力性部材が収納されるように構成されており、
前記収納部の表地には、前記表地の伸縮率よりも伸縮率の低い布地で構成された裏打ち部材が取り付けられている、衣類。
【０００９】
（項目２）
前記収納部は、前記表地の伸縮率と同じまたはそれよりも伸縮率の高い裏地をさらに備える、項目１に記載の衣類。
【００１０】
（項目３）
前記弾力性部材は前記裏打ち部材と前記裏地との間に配置されている、項目１または項目２に記載の衣類。
【００１１】
（項目４）
前記裏打ち部材は不織布である、項目１〜項目３のいずれか一項に記載の衣類。
【００１２】
（項目５）
前記弾力性部材をさらに備える、項目１〜項目４のいずれか一項に記載の衣類。
【発明の効果】
【００１３】
本発明によれば、下半身用衣類を着用した際に、男性器の膨らみを形成する弾力性部材が押し潰されるのを抑制し、これにより男性の身体のラインを形成することができる下半身用衣類を得ることができる。
【図面の簡単な説明】
【００１４】
【図１】図１は、本発明の実施形態１による下半身用衣類１００の外観を示す斜視図である。
【図２】図２は、図１に示す下半身用衣類１００の構造を説明するための図であり、図２（ａ）は下半身用衣類１００の前側から見た形状を示し、図２（ｂ）は下半身用衣類１００の後側から見た形状を示し、図２（ｃ）は、図２（ａ）のＡ−Ａ線断面の構造を示す。
【図３】図３は、図１に示す下半身用衣類１００の布地を裏返しにして裏地側が表になった状態を示す平面図であり、図３（ａ）は下半身用衣類１００を前側から見た形状を示し、図３（ｂ）は下半身用衣類１００に対して弾力性のある部材１５０を出し入れする様子を示す。
【図４】図４は、本発明の下半身用衣類１００と従来の下半身用衣類１００ａとを対比して示す図であり、図４（ａ）、図４（ｂ）、図４（ｃ）はそれぞれ、本発明の下半身用衣類１００の斜視図、平面図、断面図であり、図４（ｄ）、図４（ｅ）、図４（ｆ）はそれぞれ、従来の下半身用衣類１００ａの斜視図、平面図、断面図である。
【図５】図５は、本発明の下半身用衣類１００とともに着用される一般の女性用ショーツ１を示す平面図であり、図５（ａ）は前側から見た形状を示し、図５（ｂ）は後側から見た形状を示す。
【発明を実施するための形態】
【００１５】
以下、本発明を説明する。本明細書において使用される用語は、特に言及しない限り、当該分野で通常用いられる意味で用いられることが理解されるべきである。したがって、他に定義されない限り、本明細書中で使用される全ての専門用語および科学技術用語は、本発明の属する分野の当業者によって一般的に理解されるのと同じ意味を有する。矛盾する場合、本明細書（定義を含めて）が優先する。
【００１６】
本明細書において、「約」とは、後に続く数字の±１０％の範囲内をいう。
【００１７】
本発明は、男性器の膨らみを形成する弾力性部材が着用時に押し潰されるのを抑制することができ、これにより着用した際に男性の身体のラインを形成することができる衣類を提供することを課題とし、
少なくとも表地を有する前身頃と後身頃とを備えた身体の下半身を覆う衣類であって、
前記前身頃の略中央部に設けられた収納部と、
前記収納部に収納される弾力性部材と
を備え、
前記収納部の表地には、前記表地の伸縮率よりも伸縮率の低い布地で構成された裏打ち部材が取り付けられている、衣類を提供することによって、上記課題を解決した。
【００１８】
すなわち、本発明の下半身用衣類（身体の下半身を覆う衣類）は、前身頃の略中央部に設けられた収納部に弾力性部材が収納され、収納部の表地には、表地の伸縮率よりも伸縮率の低い布地で構成された裏打ち部材が取り付けられているので、着用時に前身頃が全体的に伸びようとしても、裏打ち部材が取り付けられた収納部の表地の伸びは裏打ち部材により抑制される。このため、収納部に収納された弾力性部材が収納部の表地により押し潰されるのを抑制することができ、これにより着用した際に弾力性部材による膨らみが維持されるため、男性の身体のラインを形成することができる。
【００１９】
従って、本発明の下半身用衣類は、前身頃の略中央部に設けられた収納部に弾力性部材が設けられ、収納部の表地にこの表地の伸縮率よりも伸縮率の低い布地で構成された裏打ち部材が取り付けられているものであれば、その他の構成は任意であり得る。表地の伸縮率に対して、裏打ち部材の伸縮率は、約３０％以上、約４０％以上、約５０％以上、または約７０％以上低い。なお、本明細書において、「部材Ａに対して、部材Ｂの伸縮率がＸ％以上低い」という場合、部材Ａおよび部材Ｂを引っ張ったとき、部材Ｂの元の長さに対する最も伸びたときの全体の長さの割合である伸縮率（％）が、部材Ａの元の長さに対する最も伸びたときの全体の長さの割合である伸縮率（％）よりもＸ以上小さいことを意味する。すなわち、「部材Ａの伸縮率（％）−部材Ｂの伸縮率（％）≧Ｘ」である。
【００２０】
例えば、収納部は、表地の伸縮率と同じまたはそれよりも伸縮率の高い裏地をさらに備えていてもよい。この場合、表地と裏地との間に弾力性部材が配置されていれば任意の形態であり得る。例えば、弾力性部材は裏打ち部材と裏地との間に配置されていてもよいし、弾力性部材は表地と裏打ち部材との間に配置されていてもよい。弾力性部材を収納部内で表地と裏地とにより保持した場合、弾力性部材が収納部から脱落するのを抑制することが可能となる。
【００２１】
また、前身頃に設けられた収納部の表地および裏地の材質は、特に限定されるものではないが、例えば、ポリエステル、ポリウレタン、コットン、ナイロン、シルク、レーヨン、麻、ウール、またはこれらの任意の組み合わせの繊維を含む布地であり得る。
【００２２】
表地および裏地の伸縮率は特に限定されるものではないが、好ましい実施形態において、一般に入手可能な布地の伸縮率である約１５０％〜約２５０％の範囲である。
【００２３】
本発明の裏打ち部材は、前身頃の略中央部に設けられた収納部の伸びを抑制する働きを有するものである。裏打ち部材の材質は、前身頃に設けられた収納部の表地および裏地の材質に比べて伸縮率の低い材質のものであれば、任意であり得る。１つの実施形態において、不織布であるが、これに限定されない。例えば、織布であってもよい。さらに、裏打ち部材に用いる不織布はこれらの繊維のいずれかからなるものでもよい。さらに、裏打ち部材の伸縮率（％）は特に限定されるものではないが、好ましい実施形態において、裏打ち部材の伸縮率（％）は約１３０％以下である。裏打ち部材として伸縮率（％）が約１３０％以下のものを用いることで、着用時にも収納部の形状を維持することができ、および／または本発明で必要な伸縮率差（例えば、約３０％以上、約５０％以上など）を確保する場合に、表地の材料選択の自由度が広がり得る。
【００２４】
本発明の弾力性部材は、下半身用衣類の前身頃の略中央部に配置することで男性器の膨らみを形成するための弾力性のある部材である。
【００２５】
弾力性部材の材質は、弾力性がある部材であれば任意の材料であり得る。例えば、ウレタンスポンジ材、あるいは、不織布であってもよい。
【００２６】
また、下半身用衣類の形態としては、任意の形態でありえる。例えば、トランクス（ボクサーパンツ）あるいはブリーフなどが挙げられる。
【００２７】
収納部の表地に取り付けられる裏打ち部材の取り付ける方法は任意の手段であり得る。たとえば、縫合、溶着、あるいは接着などの方法である。
【００２８】
収納部が備える裏地の取り付ける方法も、任意の手段であり得る。例えば、縫合、溶着、あるいは接着などの方法である。そして、裏地は表地に取り付けてもよいし、裏打ち部材に取り付けてもよい。
【００２９】
以下、本発明の好ましい実施形態として、下半身用衣類がボクサーパンツであり、裏打ち部材が不織布であり、弾力性部材は、ウレタンスポンジ材を伸縮性布地で包み込んだクッション部材である場合を挙げて説明する。
【００３０】
（実施形態１）
図１は、本発明の実施形態１による下半身用衣類１００の外観を示す斜視図である。
【００３１】
この下半身用衣類１００は、性同一性障害の女性用の下着（トランクス）であり、女性が着用したときに股間部分に男性器のような膨らみが現われる構造を有している。
【００３２】
すなわち、この下半身用衣類１００は、前身頃１０１、後身頃１０２、股部１０３を含み、これらを繋ぎ合わせて下着部分１１０が形成されている。下半身用衣類１００はウエスト伸縮部１２０を有し、ウエスト伸縮部１２０は、下着部分１１０の上縁に取り付けられた環状の伸縮性帯体であり、ゴムなどの弾性部材の弾力により身体Ｂの腰回りに密着することで、下着部分１１０が身体Ｂに対する着用位置からずれないように下着部分１１０を保持する働きがある。
【００３３】
この下半身用衣類１００は、女性が身体Ｂに付けた状態では、図１に示すように前身頃１０１の股間部分Ｒを男性器の膨らみのような盛り上がった形状とする構造を有している。
【００３４】
図２は、図１に示す下半身用衣類１００の構造を説明するための図であり、図２（ａ）は下半身用衣類１００の前側から見た形状を示し、図２（ｂ）は下半身用衣類１００の後側から見た形状を示し、図２（ｃ）は、図２（ａ）のＡ−Ａ線断面の構造を示す。
【００３５】
下半身用衣類１００は、前身頃１０１の略中央部に設けられた収納部１３０と、収納部１３０に収納される弾力性部材１４０とを備えている。
【００３６】
この下半身用衣類１００では、前身頃１０１、後身頃１０２および股部１０３はそれぞれ、伸縮性を有する同一種類の布地（表地）１１、１２、１３で構成されており、それぞれの表地が縫合により繋ぎ合わせられて下着部分１１０が構成されている。前身頃１０１の布地（表地）には、その中央部分が隆起するように、中央部分の下端から上方に向う縫製部分Ｌが形成されており、この隆起した中央部分の裏側が弾力性部材１４０の収納部１３０となっている。
【００３７】
また、前身頃１０１を構成する表地１１のうちの収納部１３０に相当する部分には、表地１１の伸縮率よりも伸縮率の低い布地で構成された裏打ち部材１４が取り付けられている。さらに、前身頃１０１のうちの収納部１３０が設けられている部分では、表地１１に裏地１１ａが取り付けられており、裏地１１ａと裏打ち部材１５との間に弾力性部材１４０が配置されている。
【００３８】
ここで、前身頃１０１、後身頃１０２、股部１０３を構成する布地（表地）は、ポリエステル、ポリウレタン、コットン、ナイロンなどの繊維からなる伸縮率の高い布地が用いられており、前身頃１０１の収納部１３０で用いられている裏地１１ａも、その表地と同様の繊維、またはそれよりも伸縮率の高い布地が用いられている。前身頃１０１、後身頃１０２、股部１０３に用いられる布地の伸縮率（％）は特に限定されるものではないが、最大伸縮率が約１５０％〜約２５０％の範囲の布地が用いられる。具体的には、伸縮率（％）が約２００％の布地が用いられ得る。この布地は、例えば、ポリウレタンとコットンとを混合した布地である。
【００３９】
また、裏打ち部材１４としては、前身頃１０１、後身頃１０２、股部１０３を構成する布地に比べて伸びが抑制される伸縮率が約１３０％の布地が用いられ得る。伸縮率が約１３０％の低い布地として、１つの実施形態において不織布が用いられる。
【００４０】
弾力性部材１４０には、ウレタンスポンジ材を伸縮率の高い布地で包み込んだクッション部材が用いられているが、これに限定されない。例えば、弾力性部材１４０は、不織布などを伸縮率の高い布地で包み込んだものでもよい。あるいは、弾力性部材１４０は、ウレタンスポンジ材を男性器（陰茎部分）の形状に加工したものでもよい。
【００４１】
以下、下半身用衣類１００の下着部分１１０の構造をより詳しく説明する。
【００４２】
図３は、図１に示す下半身用衣類１００を裏返しにして示す平面図であり、図３（ａ）は下半身用衣類１００を前側から見た形状を示し、図３（ｂ）は下半身用衣類１００に対して弾力性部材１４０を出し入れする様子を示す。
【００４３】
下半身用衣類１００の下着部分１１０は、前身頃１０１、後身頃１０２および股部１０３を構成する布地（表地）１１、１２、１３を縫合により一体化することにより形成されている。具体的には、前身頃１０１と後身頃１０２とは、それぞれの表地１１の側端部同士を縫合することにより接合されている。前身頃１０１および後身頃１０２と股部１０３とは、股布１３の一方の側端部が前身頃１０１の表地１１の下端部に縫合され、かつ、股布１３の他方の側端部が後身頃１０２の表地１２の下端部に縫合されている。これにより前身頃１０１、後身頃１０２および股部１０３の各部の布地（表地）１１、１２、１３が一体に接合されて下着部分１１０が形成されている。ただし、前身頃１０１、後身頃１０２、股部１０３を一体化する方法は、各部の布地の縫合に限定されず、これらの布地の溶着あるいは溶着材による接着でもよい。
【００４４】
ここで、前身頃１０１の収納部１３０は、前身頃１０１の左右方向における中央部分が前方に迫り出すように前身頃１０１の表地１１の中央部分を下端側から上方に向けて所定長さ（下着部分１１０の高さ寸法の３分の１程度）だけ縫い合わせることにより形成されている。図２（ａ）の線分Ｌはこの縫い合わせにより形成された縫合部分を示す。さらに、収納部１３０では前身頃１０１の表地１１は裏打ち部材１４で裏打ちされている。
【００４５】
具体的には、前身頃１０１の前方に迫り出した中央部分の裏側には凹状に窪んだ部分が形成されており、この部分が収納部１３０となっている。前身頃１０１の表地１１のうちの収納部１３０に対応する部分には、収納部１３０の周縁に沿って裏打ち部材（裏打ち布）１４が縫い付けられ、さらに、この部分の表地１１には裏地１１ａが縫い付けられている。
【００４６】
このように前身頃１０１の表地１１のうちの収納部１３０に対応する部分の周縁に沿って裏打ち部材（裏打ち布）１４が取り付けられていることにより、収納部１３０の周縁部分は、その他の部分に比べて伸び難くなる。その結果、下半身用衣類１００の着用状態で、前身頃１０１の表地１１が全体的に引っ張られても、収納部１３０の内側では前身頃１０１の表地１１の伸びが抑制され、これにより、収納部１３０に収納した弾力性部材１４０が前身頃１０１の表地１１により押し潰されるのを抑制することができる。従って、この下半身用衣類１００を女性が着用したときに、弾力性部材１４０による膨らみが維持され、着用した際に男性の身体のラインを形成することが可能となる。
【００４７】
さらに、収納部１３０ではその内側のスペースを覆うように裏地１１ａが収納部１３０の表地１１に縫い付けられている。収納部１３０の表地１１と裏地１１ａとは、収納部１３０の上端縁を除いて縫い付けられている。これにより、収納部１３０の表地１１と裏地１１ａとが縫い付けられていない部分が、収納部１３０の表地１１と裏地１１ａとで形成される袋状部分に弾力性部材１４０を出し入れするための開口１３０ａとなる。
【００４８】
なお、収納部１３０の表地１１に裏打ち布１４や裏地１１ａを固着する方法は、縫い付けに限定されず、溶着であってもよいし、接着材による接着であってもよい。
【００４９】
次に本発明の下半身用衣類１００の作用効果を説明する。
【００５０】
図４は、本発明の下半身用衣類１００と従来の下半身用衣類１００ａとを対比して示し、図４（ａ）、図４（ｂ）、図４（ｃ）はそれぞれ、本発明の下半身用衣類１００の斜視図、平面図、Ａ１−Ａ１線断面図であり、図４（ｄ）、図４（ｅ）、図４（ｆ）はそれぞれ、従来の下半身用衣類１００ａの斜視図、平面図、Ａ２−Ａ２線断面図である。
【００５１】
本発明の下半身用衣類１００では、図４（ｂ）、図４（ｃ）に示すように、前身頃１０１の表地１１のうちの収納部１３０に対応する部分の内面には裏打ち部材１４が縫い付けられているので、図４（ａ）に示すように下半身用衣類１００を着用したときに前身頃１０１が引っ張られても収納部１３０は変形しない。そのため、収納部１３０に収納されている弾力性部材１４０が前身頃１０１の表地１１とその裏地１１ａとの間で押しつぶされることはない。その結果、図４（ａ）に示すように、弾力性部材１４０による股間部分Ｒａの膨らみが男性器らしく見え、そのため、男性の身体のラインが形成される。
【００５２】
これに対し、従来の下半身用衣類１００ａでは、図４（ｅ）、図４（ｆ）に示すように、前身頃１０１の表地１１のうちの収納部１３０に対応する部分の内面には裏打ち部材１４が存在していないので、図４（ｄ）に示すように下半身用衣類１００ａを着用したときに前身頃１０１が引っ張られることで、弾力性部材１４０が収容されている収納部１３０が変形し、その表地１１と裏地１１ａとの隙間が狭くなる。その結果、図４（ｄ）に示すように、弾力性部材１４０が押し潰されて弾力性部材１４０による膨らみが抑制されるため、弾力性部材１４０による股間部分Ｒｂの膨らみが男性器らしく見えなくなり、男性の身体のラインが形成されない。
【００５３】
なお、図４に示す実施形態において、本発明の下半身用衣類１００は、そのまま肌に身に着ける場合について説示したが、本発明はこれに限定されない。例えば、図５に示すように、女性用ショーツを着用した上から着用することも可能である。
【００５４】
図４に示す実施形態における本発明の下半身用衣類１００は、トランクスタイプであるので、生理中の女性が着用したとき生理用ナプキンを股間に載置が困難な場合がある。そのような場合には、図５に示すような女性用ショーツの上から着用することで生理中でも着用可能となる。
【００５５】
図５は、本発明の下半身用衣類１００とともに着用される女性用ショーツ１を示す平面図であり、図５（ａ）は前側から見た形状を示し、図５（ｂ）は後側から見た形状を示す。このショーツ１は、本発明の下半身用衣類１００と同様に、下着部分１ａと、ウエスト伸縮部１ｂとを含み、下着部分１ａは、前身頃２、後身頃３、および股部４のそれぞれを構成する布地を縫い合わせたものである。
【００５６】
女性用のショーツ１は、生理用ナプキンを股間に容易に載置できる構造となっているので、女性用ショーツ１に本発明の下半身用衣類１００を重ねて着用することで、生理中でも下半身用衣類１００を着用することができる。
【００５７】
このように、本発明の下半身用衣類１００は、性同一性障害の女性が女性用ショーツ１を着用した状態でさらに女性用ショーツの上から着用可能なものであるが、本発明の下半身用衣類１００は、図５に示すような女性用ショーツと一体化した構造としてもよい。
【００５８】
すなわち、本発明の下半身用衣類は、図２に示す下半身用衣類１００の内側に図５に示す女性用ショーツを縫い付けて一体化したものでもよい。この場合、性同一性障害の女性は、生理中であるか否かに拘わらず、本発明の下半身用衣類を着用することにより股間部分の膨らみが維持され、その結果、男性の身体のラインを形成することができる。
【００５９】
以上のように、本発明の好ましい実施形態を用いて本発明を例示してきたが、本発明は、この実施形態に限定して解釈されるべきものではない。本発明は、特許請求の範囲によってのみその範囲が解釈されるべきであることが理解される。当業者は、本発明の具体的な好ましい実施形態の記載から、本発明の記載および技術常識に基づいて等価な範囲を実施することができることが理解される。本明細書において引用した文献は、その内容自体が具体的に本明細書に記載されているのと同様にその内容が本明細書に対する参考として援用されるべきであることが理解される。
【産業上の利用可能性】
【００６０】
本発明は、衣類の分野において、男性器の膨らみを形成する弾力性部材が着用した際に押し潰されるのを抑制でき、これにより着用した際に弾力性部材による膨らみが維持され、男性の身体のラインを形成することができる衣類を提供できるものとして有用である。
【符号の説明】
【００６１】
１１〜１３  表地
１１ａ  裏地
１４  裏打ち部材
１００  下半身用衣類
１０１  前身頃
１０２  後身頃
１３０  収納部
１４０  弾力性部材
【要約】
【課題】本発明の課題は、着用した際に、男性器の膨らみを形成する弾力性のある部材が押し潰されるのを抑制し、男性らしい身体のラインを形成することができる下半身用衣類を提供することである。
【解決手段】本発明の衣類１００は、少なくとも表地を有する前身頃１０１と後身頃１０２とを備えた身体の下半身を覆う衣類であって、前身頃１０１の略中央部に設けられた収納部１３０と、収納部１３０に収納される弾力性部材１４０とを備え、収納部１３０の表地１１には、表地１１の伸縮率よりも伸縮率の低い布地で構成された裏打ち部材１４が取り付けられているものである。
【選択図】図２【図１】
0006664762.tif 000002
【図２】
0006664762.tif 000003
【図３】
0006664762.tif 000004
【図４】
0006664762.tif 000005
【図５】
0006664762.tif 000006